(57)【要約】【課題】包装用容器の蓋体を容器本体に被せたり容器本体から取り外したりするときに、指をかけて手で持つ部位である蓋体の周辺縁部の強度を高め、あわせてこの部分に装飾を施して包装用容器の見栄えを良くする。【解決手段】食品が収容される容器本体２と、容器本体２に被さる透明な蓋体３からなる包装用容器１において、容器本体２の周側壁２３の上部に重なる蓋体３の外側張り出し部３３の面内に表面を凹凸させてなるレリーフ形模様３４，３５を形成して、この部分の強度を高め、蓋体３を着脱する操作で外側張り出し部３３を強く把持したり容器本体２側に押し付けたりしても潰れが生じないようにする。【選択図】図１
2019206359.tif 000002
【特許請求の範囲】
【請求項１】
上面に食品の収容部が設けられた容器本体と、容器本体の上方を覆う透明な蓋体を有する包装用容器において、
前記容器本体は、前記収容部を囲う周側壁の上部に折り返し部を有し、
前記蓋体は、その周側壁の下部に外方張り出し部を有し、前記容器本体の折り返し部の縁部に前記外方張り出し部を係合させて容器本体に取り付けられるものであり、
前記蓋体の外方張り出し部は、当該蓋体の周側壁の下端から蓋体外方へ折れた外折れ面部と、この外折れ面部の下端部から下方へ折れた下折れ面部と、この下折れ面部の下側に設けられた容器本体との係合部位とを有し、
前記下折れ面部の面内に第１のレリーフ形模様が形成されていることを特徴とする包容用容器。
【請求項２】
蓋体の外折れ面部の面内に、第１のレリーフ形模様とは模様が異なる、第２のレリーフ形模様が形成されていることを特徴とする請求項１に記載の包装用容器。
【請求項３】
下折れ面部に形成された第１のレリーフ形模様は、下折れ面部の上端から下端に亘ってその表面を内方へ凹ませた谷部と外方へ凸ませ（つばくませ）た山部を交互に、かつ互いに傾斜させて配置してなる傾斜縦縞模様であり、これが下折れ面部の全周に亘り形成されていることを特徴とする請求項１又は２に記載の包装用容器。
【請求項４】
蓋体の外折れ面部の面内であって第２のレリーフ形模様が形成されていない部分に、少なくとも一つの、蓋体を容器本体に取り付けるときに蓋体を押し下げ操作するための押し下げ用リブが形成されていることを特徴とする請求項２又は３に記載の包装用容器。
【請求項５】
容器本体の折り返し部は、その周側壁の上端から斜め上方に傾斜して容器本体外方へ突出した傾斜面部と傾斜面部の端部から下方へ折れた下折れ面部を連ねて形成され、
前記蓋体の外折れ面部は、その周側壁の下端から斜め上方に傾斜して蓋体外方に突出させて形成されており、
容器本体に蓋体を取り付けたときに、容器本体の傾斜面部に蓋体の外折れ面部が重なるように設けられていることを特徴とする請求項１から４の何れか一項に記載の包装用容器。
【請求項６】
容器本体は周側壁で囲われた収容部をその内部に配置した仕切り壁で複数に区画して形成されているとともに、その周側壁の上部内面に、前記第１及び第２のレリーフ形模様とは模様が異なる、第３のレリーフ形模様が形成されていることを特徴とする請求項２から５の何れか一項に記載の包装用容器。
【発明の詳細な説明】
【技術分野】
【０００１】
本発明は、スーパーマーケットやコンビニエンスストアなどの食品売り場で陳列して販売される、総菜や弁当、デザート、菓子類、その他各種食品の包装に用いられる合成樹脂製の包装用容器に関する。
【背景技術】
【０００２】
スーパーマーケットなどの食品売り場で陳列されている総菜や弁当、デザートなどの各種食品は、例えばステーキなどの洋風の総菜や酢豚などの中華料理といった食品や食材の種類や調理方法などに応じて、食品のボリューム感を引き出しておいしそうに見える外観や形状の、透明な蓋付きの包装用容器に収容して販売されている。
【０００３】
このような食品の陳列販売に用いる包装用容器として、例えばオードブルのような複数種類の食品の盛り合わせを収容するための容器において、食品の収容量を増やすため、内部が仕切り壁で複数の区画に仕切られた皿状の容器本体の中央部に略円柱形の台座部を形成し、この台座部上に小皿状の内容器を載せて支持し、つまり容器本体内に嵩上げした食品の収容部を設け、容器本体の前記各区画と内容器内に食品を収容し、その上から略ドーム形の透明な蓋体を被せ、蓋体の周縁部を容器本体の周縁段部外面に緩く嵌合させて取り付けることにより、食品を包装する形態のものが知られている（例えば特許文献１参照）。
【０００４】
また、食品を購入する者が、台や棚に陳列された食品の包装用容器を手に取ったり、陳列台上に包装用容器を多段に重ねて陳列したりしたときに、容器本体に被せた蓋体が上方から受ける荷重によって凹むのを防ぐため、平面視矩形状の蓋体の天面部周辺に階段状の突状部を設けて変形しにくくした形態のものが知られている（例えば特許文献２参照）。
【先行技術文献】
【特許文献】
【０００５】
【特許文献１】特開２０１６−３７３２３号公報
【特許文献２】特開２０１２−９６８１０号公報
【発明の開示】
【発明が解決しようとする課題】
【０００６】
包装用容器で食品を包装した状態、つまり容器本体に食品を収容し、その上方に蓋体を被せて容器本体に取り付けた状態で、蓋体の天面部の下面は容器本体の収容部に収容された食品が面するが、蓋体を被せるときの不注意により、或いは包装用容器を持ち運ぶときの振動などによって、収容された食品が蓋体に接することがある。
蓋体の天面部の下面に食品の一部やソース、汁などがこびり付いていると、包装された食品の見栄えが著しく悪くなり、おいしそうに見えないばかりか、汚らしい感じを食品の購入を考慮している者に与えかねない。
【０００７】
そのため、食品を包装する作業にあっては、蓋体を容器本体に取り付けるときに、蓋体の天面部を手で押さえて容器本体に被せるのではなく、蓋体をその天面部の周りに張り出した周辺縁部に指にかけて持ちながら容器本体の真上から被せ、とりわけ前述した容器本体内に嵩上げした収容部を設け、食品が高く盛られた収容部の上方にドーム形の蓋体を被せるようなときや、収容された食品がこびりつきやすいソースやクリームを含んでいるときなどには、容器本体内に入れられた食品に蓋体の天面部下面が接触しないように蓋体を慎重に操作しながら被せて、容器本体の周辺縁部に蓋体の周辺縁部を嵌め合わせて取り付けるようにしている。
【０００８】
前記のとおり、容器本体への蓋体の取り付けは、蓋体の周辺縁部に指にかけて持ちながら容器本体に被せる操作をして行われるが、この蓋体の周辺縁部はその天面部と比較して幅が狭く、しかも蓋体自体が薄肉なため変形しやすい部位である。
そのため、蓋体を容器本体に取り付ける際にその周辺縁部を指先で強く把持したり容器本体の上面に強く押し当てたりして、蓋体の周辺縁部を潰したり変形させてしまったりすることがあった。前述した天面部周辺に補強用の突状部を設けた形態の蓋体であっても、その周辺縁部は強度が低く、変形しやすい部位であることに変わりはない。
【０００９】
食品の購入者が包装された容器から蓋体を取り外す操作は、容器本体に被さった蓋体の周辺縁部を把持し、そのまま上方に押し上げることにより行われるが、このとき購入者の視線は蓋体の周辺縁部に集中する。
蓋体の天面部に食品が付着しておらず、包装された食品がおいしそうに見えたので購入したものの、購入時には気付かなかった蓋体の周辺縁部の潰れが容器を開けるときになって分かったのでは、購入した食品が実際にはおいしかったとしても、不完全な商品を購入してしまったような残念な気持ちを抱かざるを得ず、その食品の次回の購入を見送るように考えてもおかしくない。
【００１０】
本発明は従来技術の有するこのような問題点に鑑み、容器本体と透明な蓋体からなる包装用容器において、蓋体を容器本体に被せたり容器本体から取り外したりするときに蓋体を操作する者の視線が集中する部位であり、指をかけて手で持つ部位である蓋体の周辺縁部の強度を高めて潰れにくいようにし、あわせてこの部分に装飾を施して包装用容器の見栄えを良くし、容器に収容された食品が映えるようにすることを課題とする。
【課題を解決するための手段】
【００１１】
前記課題を解決するため本発明は、上面に食品の収容部が設けられた容器本体と、容器本体の上方を覆う透明な蓋体を有する包装用容器において、
前記容器本体は、前記収容部を囲う周側壁の上部に折り返し部を有し、
前記蓋体は、その周側壁の下部に外方張り出し部を有し、前記容器本体の折り返し部の縁部に前記外方張り出し部を係合させて容器本体に取り付けられるものであり、
前記蓋体の外方張り出し部は、当該蓋体の周側壁の下端から蓋体外方へ折れた外折れ面部と、この外折れ面部の下端部から下方へ折れた下折れ面部と、この下折れ面部の下側に設けられた容器本体との係合部位とを有し、
前記下折れ面部の面内に第１のレリーフ形模様が形成されていることを特徴とする。
【００１２】
これによれば、包装する食品を容器本体の収容部に盛り、蓋体をその周辺縁部である外方張り出し部の端部に指をかけて持ち、食品が盛られた容器本体の上方から蓋体を被せて容器本体上に載せ、前記外方張り出し部の係合部位を容器本体の周側壁の上部に設けられた折り返し部の縁部に係合させて蓋体を容器本体に取り付けることで食品を包装することができる。
容器本体の上面に装着された蓋体の取り外しは、外方張り出し部の縁部に指をかけ、当該縁部が外向きに広がるように引っ張って容器本体の折り返し部の縁部との係合を解除し、そのまま蓋体を上方へ引き上げることで行うことができる。
【００１３】
蓋体を容器本体に着脱操作をする際に指をかけて手に持つ蓋体の外方張り出し部の面内にレリーフ形模様を形成してあるので、外方張り出し部の強度が高くなり、前記着脱操作の過程で外方張り出し部を把持して容器本体側へ押し付けたり外向きに引っ張ったりしても、外方張り出し部の潰れが生じにくく、食品を包装した容器の外観を良好なものに維持することができる。
【００１４】
また、容器本体に蓋体を被せて取り付けた状態で、外方張り出し部の下折れ面部の面内に形成されたレリーフ形模様が表出し、包装用容器の周辺縁部が厚みのある立体的な模様の意匠で装飾された豪華な外観のものとなり、包装用容器の見栄えが良くなって容器に収容された食品の質感や風味が上質なものと見てとれる外見を醸し出すことができる。
【００１５】
前記構成の包装用容器において、第１のレリーフ形模様に加えて、蓋体の外折れ面部の面内に、第１のレリーフ形模様とは模様が異なる、第２のレリーフ形模様が形成されたものとすることができる。
【００１６】
これによれば、前記第１のレリーフ形模様が形成された下折れ面部よりも内側の外折れ面部にレリーフ形模様を形成することで、蓋体の外方張り出し部の強度がさらに高まって外方張り出し部の潰れがより生じにくくなる。
また、蓋体を容器本体に被せて取り付けた状態で、外折れ面部が容器本体の周側壁の上部に重なってその面内に形成されたレリーフ形模様が表出し、その下の容器本体の周側壁の上面が透過して見えることと相俟って、包装用容器の周辺縁部が前記第１のレリーフ形模様と第２のレリーフ形模様で装飾された豪華な外観のものとなり、包装用容器の見栄えがより良くなり、その内部に収容された食品の質感などを引き立たせることができる。
【００１７】
ここで、蓋体の外方張り出し部に形成する第１、第２のレリーフ形模様とは、蓋体の外方張り出し部の表面を凹凸させて、当該表面に凸状の浮き上がって見えるように設けた模様をいう。外方張り出し部の表面を凹凸させて形成された、図柄や形、記号、文字、これらの組み合わせなどがこれに含まれる。
レリーフ形模様は、主として外方張り出し部の面内にその周方向に沿って凸状又は凹状の部分を断続的に、或いは列状に並べた配置に設けられたものをいい、図柄や形、記号、文字を立体的に模した装飾模様が該当する。後述する実施形態における第１のレリーフ形模様は、その凹凸させて形成された蓋体の全体を俯瞰することにより「縄」や「丸太」を立体的に模した装飾模様である。
【００１８】
前記構成の包装用容器において、蓋体の下折れ面部に形成された第１のレリーフ形模様は、下折れ面部の上端から下端に亘ってその表面を内方へ凹ませた谷部と外方へ凸ませ（つばくませ）た山部を交互に、かつ互いに傾斜させて配置してなる傾斜縦縞模様であり、これが下折れ面部の全周に亘り形成されていることを特徴とする。
【００１９】
これによれば、蓋体の外方張り出し部の下折れ面部の全周に亘って、第１のレリーフ形模様である谷部と山部を交互に傾斜配置した傾斜縦縞模様を設けてあるので外方張り出し部の全周の強度が増して潰れにくくなり、また、外方張り出し部の全体が連続した統一性のある模様で装飾され、包装用容器の見栄えを良くすることができる。
なお、第１のレリーフ形模様である前記傾斜縦縞模様は、前記下折れ面部の全周に亘ってではなく、その面内に部分的に形成しても外方張り出し部の強度は高まる。傾斜縦縞模様に代わり、これとは異なる模様の第１のレリーフ形模様を下折れ面部の全周に亘って設けてもよい。
【００２０】
また、前記構成の包装用容器において、蓋体の外折れ面部の面内であって第２のレリーフ形模様が形成されていない部分に、少なくとも一つの、蓋体を容器本体に取り付けるときに蓋体を押し下げ操作するための押し下げ用リブが形成されていることを特徴とする。
【００２１】
これによれば、容器本体に蓋体を取り付ける際に、容器本体の上面に蓋体を被せ、前記外折れ面部の面内に形成された押し下げ用リブに指をかけて下方へ押し下げることにより、前記蓋体の内方屈曲部が容器本体の周側壁の上部に設けられた折り返し部の縁部に係合し、蓋体を容器本体に簡単に取り付けることができる。また、押し下げ用リブを押し下げ操作して蓋体を取り付けることができるので、前記外方張り出し部を持って蓋体を操作することによる外方張り出し部の潰れの発生を減らすことが可能である。
【００２２】
さらに、前記構成の包装用容器において、容器本体の折り返し部が、その周側壁の上端から斜め上方に傾斜して容器本体外方へ突出した傾斜面部と傾斜面部の端部から下方へ折れた下折れ面部を連ねて形成され、一方、前記蓋体の外折れ面部が、その周側壁の下端から斜め上方に傾斜して蓋体外方に突出するように形成されて、容器本体に蓋体を取り付けたときに、容器本体の傾斜面部に蓋体の外折れ面部が重なるように設けることができる。
【００２３】
これによれば、容器本体の上面に蓋体を被せた状態で、蓋体をその外方張り出し部の端部に指をかけ、或いは押し下げ用リブに指をかけて下方へ押し下げれば、容器本体の傾斜面部に蓋体の外折れ面部が重なり、蓋体の内方屈曲部が容器本体の周側壁の上部に設けられた折り返し部の縁部に係合して、容器本体に蓋体を取り付けることができる。
このように、蓋体の外方張り出し部の一部である下折れ面部を、容器本体の周側壁の一部である傾斜面部に重ねて蓋体が取り付けられるようにすることで、蓋体の外方張り出し部の全体が容器本体の周側壁の上部全体に重なって蓋体が取り付けられるようにした形態のものと比べて、蓋体を容器本体に取り付けた状態の両体の周辺縁部における接触面積が小さくなるため、前記外方張り出し部を持って蓋体を操作することによる外方張り出し部の潰れが生じにくくなる。
また、蓋体を容器本体に取り付けた状態で、容器本体の傾斜面部上に蓋体の下折れ面部が重なり、下折れ面部に形成されたレリーフ形模様が前記傾斜面部に沿って内向きに傾斜して表出する。食品売り場では包装用容器に収容された食品が見やすいように照明がされた陳列棚に置いて販売することが多いが、前記のように、包装用容器の上部で蓋体のレリーフ形模様が内向きに傾斜して表出していると、前記レリーフ形模様に照明光が入射して乱反射する度合が増して当該レリーフ形模様が一層煌びやかな模様に見え、包装用容器の見栄えが良くなって容器に収容された食品を上質で豪華なものと見てとれる外見を醸し出すことができる。
【００２４】
また、前記構成の包装用容器において、容器本体は周側壁で囲われた収容部をその内部に配置した仕切り壁で複数に区画して形成されているとともに、その周側壁の上部内面に、前記第１及び第２のレリーフ形模様とは異なる模様の、第３のレリーフ形模様が形成されていることを特徴とする。
【００２５】
これによれば、容器本体の周側壁の上部内面にレリーフ形模様が形成されていれば、容器本体に蓋体を被せた状態で透明な蓋体を透過して容器本体内に入射した照明光がその上部内面に形成されたレリーフ形模様に当って乱反射し、蓋体を通して容器本体内を見たときに容器本体内面に光沢感があるように見てとれ、収容部に収容した食品の上質さや豪華さを醸し出し、容器の見栄えをより一層向上させることができる。
容器本体内に形成される第３のレリーフ形模様も、蓋体に形成する第１、第２のレリーフ形模様と同様に、容器本体の内面を凹凸させて、当該内面に凸状の浮き上がって見えるように設けた模様に形成され、図柄や形、記号、文字、これらの組み合わせなどがこれに含まれる。
【００２６】
容器本体内に形成される第３のレリーフ形模様は、包装用容器の表面に設けた模様による装飾性を高める上で、蓋体に形成する第１，第２のレリーフ形模様と異なる模様に設けることが好ましいが、第３のレリーフ形模様を第１又は第２のレリーフ形模様と同じ模様に設けたり、異なる模様であるが同じか似ているモチーフの模様に設けたりして、統一感があると認識される模様で容器本体と蓋体を装飾してもよい。
また、蓋体に形成する第１、第２のレリーフ形模様も、統一感があると認識される同じ模様や同じモチーフの模様に設けてよい。
【００２７】
本発明の包装用容器は、例えば延伸ポリスチレンや耐衝撃性ポリスチレン、ポリプロピレン、ポリエチレンテレフタレートなどの適宜なプラスチックを用い、圧空乃至真空成形などのサーモフォーミング法などの熱成形により成形することができる。蓋体は透明なポリプロピレンや二軸延伸ポリスチレン、ポリエチレンテレフタレートなどを用いて成形することが好ましい。その他任意の成形材料を用いて任意の成形方法により形成してもよい。容器本体と蓋体との材質や成形法は同じでも異なっていてもよい。
また、包装用容器の外形状は、収容する食品の種類や盛る分量などに応じて、平面視で方形や五角形などの多角形状、平面視円形状や長円形状など、適宜な形状に設けることができる。
【００２８】
本発明の包装用容器によれば、蓋体を容器本体に着脱操作をする際に指をかけて手に持つ蓋体の外方張り出し部の面内にレリーフ形模様を形成してあるので、外方張り出し部の強度が高くなり、外方張り出し部の潰れが生じにくく、食品を包装した容器の外観を良好なものに維持することが可能である。
また、容器本体に蓋体を被せて取り付けた状態で、蓋体の表面にレリーフ形模様が表出し、包装用容器がその周辺縁部を厚みのある立体的な模様の意匠で装飾された豪華な外観のものとなり、容器に収容された食品の質感や風味が上質なものと見てとれる外見を醸し出すことが可能である。
【図面の簡単な説明】
【００２９】
【図１】本発明の一実施形態の包装用容器の外観図である（蓋体は不透明にして表してある）。
【図２】図１の容器の平面図である。
【図３】図１の容器の蓋体を容器本体から分離してずらした状態の平面図である。
【図４】図１の蓋体の平面図である。
【図５】図４の蓋体の正面図である。
【図６】図２中のＡ−Ａ線に沿った拡大切断端面図である。
【図７】図２中のＢ−Ｂ線に沿った拡大切断端面図である。
【発明を実施するための形態】
【００３０】
以下、本発明の包装用容器の好適な一実施形態について説明する。なお、本発明はこの実施形態に限定されるものではない。
【００３１】
図１及び図２は本発明の包装用容器の一実施形態の外観を示している。図示されるように、本形態の包装用容器１は、上部を平面視円形に開口し、この開口面内に食品の収容部２１が設けられた容器本体２と、容器本体２に被さって前記収容部２１の上方を覆う透明な蓋体３により構成されている。
【００３２】
詳しくは、容器本体２は、底部２２から立ち上げた周側壁２３で収容部２１を平面視円形に囲うとともに、この収容部２１をその内部に配置された仕切壁２４で複数の収容部に区画して形成してある。
具体的には、図２に示されるように、収容部２１は、その中央部が底部２２から上方へ突出した円形の仕切壁２４ａで底上げされた平面視円形の収容部２１ａに区画されているとともに、前記円形の仕切壁２４ａの周囲四方から周側壁２３の内面に至る仕切壁２４ｂにより、収容部２１ａの周りを平面視略菱形の四つの収容部２１ｂに区画してある。
【００３３】
前記収容部２１を囲う周側壁２３の上部は、図６及び図７に示されるように、周側壁２３の上端を外方へ折り返した折り返し部２５となっている。
この折り返し部２５は、周側壁２３の上端から斜め上方に傾斜して容器本体２の外方へ突出した傾斜面部２５ａと傾斜面部２５ａの端部から下方へ折れた下折れ面部２５ｂを連ねて形成されており、折り返し部２５の下端部に、後述する蓋体３の外方張り出し部３３の内方屈曲部３３ｄが係合することで、容器本体２に被せた蓋体３が容器本体２の上面に取り付けられるようになっている。折り返し部２５の下端部である下折れ面部２５ｂの縁部は外側へ湾曲させてある。
【００３４】
また、前記周側壁２３の上部内面であって、前記各平面視略菱形の収容部２１ｂを区画する各収容部２１ｂの両側の仕切壁２４ｂ、２４ｂの間の部分には、当該周側壁２３の内面に外向きに凹んだ小さな穴部を設け、かつその周りに内向きに膨らんだ山部を設けた形状の複数のレリーフ形模様２６（第３のレリーフ形模様）を一定の間隔を開けて並べて複数形成してある。
【００３５】
また、蓋体３は、平面視円形の天面部３１の周辺から段部３１ａを介して斜め下方へ湾曲した周側壁３２を張り出し、周側壁３２の下部に、外方張り出し部３３を設けて形成してある。
【００３６】
蓋体３の外方張り出し部３３は、図６及び図７に示されるように、その周側壁３２の下端からら蓋体３の外方へ折れた外折れ面部３３ａと外折れ面部３３ａの下端部から下方へ折れた下折れ面部３３ｂと下折れ面部の下端部から下方へ伸びた垂れ面部３３ｃとを連ね、この垂れ面部３３ｃの面内に容器本体２との係合部位である内方屈曲部３３ｄを設けて形成してある。
内方屈曲部３３ｄは、蓋体３の内方へ逆テーパ状に折れていて垂れ面部３３ｃの面内に筋状に伸びた部位であり、当該垂れ面部３３ｃの面内にその周方向に沿って一定の間隔を開けて設けてある（図５参照）。
また、前記外折れ面部３３ａは、容器本体２に蓋体３を被せたときに、容器本体２の傾斜面部２５ａの上面に重なるように、周側壁３２の下端から斜め上方に傾斜させてある。
【００３７】
また、外方張り出し部３３の前記下折れ面部３３ｂの面内と、外折れ面部３３ａの面内には、それぞれレリーフ形模様３４，３５が形成してある。
下折れ面部３３ｂの面内に形成されたレリーフ形模様３４（第１のレリーフ形模様）は、当該下折れ面部３３ａの上端から下端に亘ってその表面を内方へ凹ませた谷部と外方へ凸ませ（つばくませ）た山部を交互に、かつ互いに傾斜して配置してなる傾斜縦縞模様であり、下折れ面部３３ａの全周に亘って設けてある。
また、外折れ面部３３ａの面内に形成されたレリーフ形模様３５（第２のレリーフ形模様）は、植物の椿の花や葉、蔓をモチーフとしてこれらの形状を凹凸で表出させた模様であり、適宜な長さのひと塊のレリーフ形模様３５を、外折れ面部３３ａの周方向に沿って所定の間隔を開けて複数配置した形状に設けてある。
【００３８】
さらに、蓋体３の外折れ面部３３ａの面内であって前記レリーフ形模様３４が形成されていない部分には、蓋体３を容器本体２に取り付けるときに蓋体３を押し下げ操作するための押し下げ用リブ３６が形成されており、この押し下げリブ３６の外側であって当該リブと蓋体３の中心とを結ぶ線上に、前記垂れ面部３３ｃの縁部を外方へ屈曲させてなる摘み部３７を形成してある。押し下げ用リブ３６と摘み部３７は、蓋体３の周辺で対向する位置の二か所にそれぞれ設けてある。
【００３９】
このように形成された本形態の包装用容器１によれば、包装する食品を容器本体２の収容部２１に盛り、蓋体３の外方張り出し部３３の端部に指をかけて持ち、食品が盛られた容器本体２の上方から蓋体３を被せて容器本体２上に載せ、蓋体３をその外方張り出し部３３の端部に指をかけ、或いは押し下げ用リブ３６に指をかけて下方へ押し下げれば、容器本体２の傾斜面部２５ａに蓋体３の外折れ面部３３ａが重なり、蓋体３の内方屈曲部３３ｄを容器本体２の周側壁２３の上部に設けられた折り返し部２５の縁部に係合して、容器本体２に蓋体３を取り付けることができる。
また、容器本体２の上面に装着された蓋体３の取り外しは、外方張り出し部３３の端部に指をかけて外方張り出し部３３が外向きに広がるように引っ張って、或いは蓋体３の摘み部３７を把持して上方へ引き上げることで容器本体２の折り返し部２５の縁部との係合を解除し、そのまま蓋体３全体を持ち上げることで行うことができる。
【００４０】
蓋体３を容器本体２に着脱操作をする際に指をかけて手に持つ蓋体３の外方張り出し部３３の面内にレリーフ形模様３４，３５を形成してあるので、外方張り出し部３３の強度が高くなり、前記着脱操作の過程で外方張り出し部３３を把持して容器本体２側へ押し付けたり外向きに引っ張ったりしても、外方張り出し部３３の潰れが生じにくく、食品を包装した包装用容器１の外観を良好なものに維持することが可能である。
【００４１】
容器本体２に蓋体３を被せて取り付けた状態で、蓋体３の外側張り出し部３３の表面にレリーフ形模様３４，３５が表出し、包装用容器１がその周辺縁部を厚みのある立体的な模様の意匠で装飾された豪華な外観のものとなり、また、透明な蓋体３を透かして容器本体２の上部内面に形成されたレリーフ形模様２６が容器本体２内面に光沢感があるように見てとれることと相俟って、収容部２１に収容した食品の上質さや豪華さを醸し出し、食品が包装された包装用容器１の視覚上の訴求力を高めて食品をおいしそうに見せることが可能である。
【００４２】
なお、図示した包装用容器の形態は一例であり、本発明はこれに限定されず、食品の種類や収容部に盛る分量などに応じて、他の適宜な形態に設けることが可能である。
【符号の説明】
【００４３】
１  包装用容器、２  容器本体、２１  収容部、２２  底部、２３  周側壁、２４  仕切壁、２５  折り返し部、２５ａ  傾斜面部、２５ｂ  下折れ面部、２６  レリーフ形模様（第３のレリーフ形模様）、３  蓋体、３１  天面部、３２  周側壁、３３  外方張り出し部、３３ａ  外折れ面部、３３ｂ  下折れ面部、３３ｃ  垂れ面部、３３ｄ  内方屈曲部、３４  レリーフ形模様（第１のレリーフ形模様）、３５  レリーフ形模様（第２のレリーフ形模様）、３６  押し下げ用リブ、３７  摘み部
【図１】
2019206359.tif 000003
【図２】
2019206359.tif 000004
【図３】
2019206359.tif 000005
【図４】
2019206359.tif 000006
【図５】
2019206359.tif 000007
【図６】
2019206359.tif 000008
【図７】
2019206359.tif 000009